(57)【要約】【課題】  電力の消費量を従来より低減することができる画像形成装置およびオプション機器制御プログラムを提供する。【解決手段】  ＭＦＰは、使用されていない期間が遮断実行用期間を超えるオプション機器への電力の供給を遮断し、制御状態として「遮断状態」を記憶部に記憶させ、スリープ状態から通常状態に移行した場合に、制御状態として「遮断状態」が記憶部に記憶されているとき、オプション機器へのイニシャル動作の指示を中止し、複数のオプション機器が指定された印刷の実行が指示された場合に（Ｓ７１でＹＥＳ）、複数のオプション機器のうち制御状態として「遮断状態」が記憶部に記憶されている全てのオプション機器にイニシャル動作を指示し（Ｓ７３）、イニシャル動作を指示した全てのオプション機器のそれぞれの制御状態として「遮断状態」に代えて「通電状態」を記憶部に記憶させる（Ｓ７４）ことを特徴とする。【選択図】  図４
2018024251.tif 000002
【特許請求の範囲】
【請求項１】
情報を記憶する記憶デバイスと、記録媒体に印刷を実行する印刷デバイスとを備え、前記印刷デバイスによる印刷のために使用されるオプション機器が接続可能であって、通常状態と、前記通常状態より電力の消費が少ない低電力状態とに少なくとも移行可能である画像形成装置であって、
前記低電力状態から前記通常状態に移行した場合に前記オプション機器にイニシャル動作を指示するオプション機器制御手段と、
前記オプション機器制御手段による前記オプション機器に対する制御状態を前記記憶デバイスに記憶させる制御状態記憶手段とを備え、
前記オプション機器制御手段は、前記オプション機器が使用されていない期間が特定の期間を超える場合に、前記オプション機器への電力の供給を遮断し、
前記制御状態記憶手段は、前記オプション機器への電力の供給が前記オプション機器制御手段によって遮断された場合に、前記制御状態として遮断状態を前記記憶デバイスに記憶させ、
前記オプション機器制御手段は、前記低電力状態から前記通常状態に移行した場合に、前記制御状態として遮断状態が前記記憶デバイスに記憶されているとき、前記オプション機器へのイニシャル動作の指示を中止し、
前記制御状態記憶手段は、前記制御状態として遮断状態が前記記憶デバイスに記憶されている前記オプション機器に対して前記オプション機器制御手段によってイニシャル動作が指示された場合に、このオプション機器の前記制御状態として遮断状態に代えて通電状態を前記記憶デバイスに記憶させることを特徴とする画像形成装置。
【請求項２】
前記特定の期間の指定を受け付ける期間受付手段を備えることを特徴とする請求項１に記載の画像形成装置。
【請求項３】
情報を記憶する記憶デバイスと、記録媒体に印刷を実行する印刷デバイスとを備え、前記印刷デバイスによる印刷のために使用されるオプション機器が接続可能であって、通常状態と、前記通常状態より電力の消費が少ない低電力状態とに少なくとも移行可能である画像形成装置によって実行されるオプション機器制御プログラムであって、
前記低電力状態から前記通常状態に移行した場合に前記オプション機器にイニシャル動作を指示するオプション機器制御手段、および、
前記オプション機器制御手段による前記オプション機器に対する制御状態を前記記憶デバイスに記憶させる制御状態記憶手段として前記画像形成装置を機能させ、
前記オプション機器制御手段は、前記オプション機器が使用されていない期間が特定の期間を超える場合に、前記オプション機器への電力の供給を遮断し、
前記制御状態記憶手段は、前記オプション機器への電力の供給が前記オプション機器制御手段によって遮断された場合に、前記制御状態として遮断状態を前記記憶デバイスに記憶させ、
前記オプション機器制御手段は、前記低電力状態から前記通常状態に移行した場合に、前記制御状態として遮断状態が前記記憶デバイスに記憶されているとき、前記オプション機器へのイニシャル動作の指示を中止し、
前記制御状態記憶手段は、前記制御状態として遮断状態が前記記憶デバイスに記憶されている前記オプション機器に対して前記オプション機器制御手段によってイニシャル動作が指示された場合に、このオプション機器の前記制御状態として遮断状態に代えて通電状態を前記記憶デバイスに記憶させることを特徴とするオプション機器制御プログラム。
【発明の詳細な説明】
【技術分野】
【０００１】
本発明は、印刷のために使用されるオプション機器が接続可能である画像形成装置およびオプション機器制御プログラムに関する。
【背景技術】
【０００２】
従来、プリンターを備え、プリンターによる印刷のために使用されるオプション機器が接続可能である画像形成装置が知られている（例えば、特許文献１参照。）。特許文献１に記載された画像形成装置は、通常モードと、通常モードより電力の消費が少ないスリープモードとに少なくとも移行可能である。特許文献１に記載された画像形成装置は、スリープモードから通常モードに復帰する場合、前回の通常モード中にオプション機器の使用履歴がないときにオプション機器のイニシャル動作を実行せず、前回の通常モード中にオプション機器の使用履歴があるときにオプション機器のイニシャル動作を実行する。この構成により、特許文献１に記載された画像形成装置は、オプション機器のイニシャル動作の実行を抑えることができ、電力の消費量を低減することができる。
【先行技術文献】
【特許文献】
【０００３】
【特許文献１】特許第５０３３７０６号公報
【発明の概要】
【発明が解決しようとする課題】
【０００４】
しかしながら、特許文献１に記載された画像形成装置おいては、スリープモードから通常モードに復帰する場合に前回の通常モード中にオプション機器の使用履歴があるとき、スリープモードから通常モードに復帰した後でオプション機器が使用される可能性が低くても、オプション機器のイニシャル動作を実行するので、電力の消費量の低減の効果が十分ではない。
【０００５】
そこで、本発明は、電力の消費量を従来より低減することができる画像形成装置およびオプション機器制御プログラムを提供することを目的とする。
【課題を解決するための手段】
【０００６】
本発明の画像形成装置は、情報を記憶する記憶デバイスと、記録媒体に印刷を実行する印刷デバイスとを備え、前記印刷デバイスによる印刷のために使用されるオプション機器が接続可能であって、通常状態と、前記通常状態より電力の消費が少ない低電力状態とに少なくとも移行可能である画像形成装置であって、前記低電力状態から前記通常状態に移行した場合に前記オプション機器にイニシャル動作を指示するオプション機器制御手段と、前記オプション機器制御手段による前記オプション機器に対する制御状態を前記記憶デバイスに記憶させる制御状態記憶手段とを備え、前記オプション機器制御手段は、前記オプション機器が使用されていない期間が特定の期間を超える場合に、前記オプション機器への電力の供給を遮断し、前記制御状態記憶手段は、前記オプション機器への電力の供給が前記オプション機器制御手段によって遮断された場合に、前記制御状態として遮断状態を前記記憶デバイスに記憶させ、前記オプション機器制御手段は、前記低電力状態から前記通常状態に移行した場合に、前記制御状態として遮断状態が前記記憶デバイスに記憶されているとき、前記オプション機器へのイニシャル動作の指示を中止することを特徴とする。
【０００７】
この構成により、本発明の画像形成装置は、オプション機器への電力の供給を遮断した場合に制御状態として遮断状態を記憶デバイスに記憶して、低電力状態から通常状態に移行した場合に制御状態として遮断状態が記憶デバイスに記憶されているときオプション機器へのイニシャル動作の指示を中止するので、オプション機器への電力の供給を遮断した状態で通常状態から低電力状態に移行した場合、すなわち、オプション機器への電力の供給を遮断していない状態で通常状態から低電力状態に移行したときと比較して、低電力状態から通常状態に復帰した後にオプション機器が使用される可能性が低い場合に、オプション機器のイニシャル動作による電力の消費を防止することができる。したがって、本発明の画像形成装置は、電力の消費量を従来より低減することができる。
【０００８】
また、本発明の画像形成装置は、前記特定の期間の指定を受け付ける期間受付手段を備えても良い。
【０００９】
この構成により、本発明の画像形成装置は、オプション機器が使用されなくなってからオプション機器への電力の供給を遮断するまでの期間の指定を受け付けるので、低電力状態から通常状態に移行した場合にオプション機器にイニシャル動作を実行させることによる利便性と、低電力状態から通常状態に移行した場合にオプション機器にイニシャル動作を実行させないことによる電力の消費量の低減とのバランスを、利用者の好みに合わせることができる。
【００１０】
また、本発明の画像形成装置において、前記オプション機器制御手段は、前記オプション機器が指定された印刷の実行が指示された場合に、前記制御状態として遮断状態が前記記憶デバイスに記憶されているとき、前記オプション機器にイニシャル動作を指示しても良い。
【００１１】
この構成により、本発明の画像形成装置は、制御状態として遮断状態が記憶デバイスに記憶されている場合に、オプション機器が指定された印刷の実行が指示されるまでオプション機器にイニシャル動作を指示しないので、オプション機器のイニシャル動作による電力の消費を抑えることができる。
【００１２】
本発明のオプション機器制御プログラムは、情報を記憶する記憶デバイスと、記録媒体に印刷を実行する印刷デバイスとを備え、前記印刷デバイスによる印刷のために使用されるオプション機器が接続可能であって、通常状態と、前記通常状態より電力の消費が少ない低電力状態とに少なくとも移行可能である画像形成装置によって実行されるオプション機器制御プログラムであって、前記低電力状態から前記通常状態に移行した場合に前記オプション機器にイニシャル動作を指示するオプション機器制御手段、および、前記オプション機器制御手段による前記オプション機器に対する制御状態を前記記憶デバイスに記憶させる制御状態記憶手段として前記画像形成装置を機能させ、前記オプション機器制御手段は、前記オプション機器が使用されていない期間が特定の期間を超える場合に、前記オプション機器への電力の供給を遮断し、前記制御状態記憶手段は、前記オプション機器への電力の供給が前記オプション機器制御手段によって遮断された場合に、前記制御状態として遮断状態を前記記憶デバイスに記憶させ、前記オプション機器制御手段は、前記低電力状態から前記通常状態に移行した場合に、前記制御状態として遮断状態が前記記憶デバイスに記憶されているとき、前記オプション機器へのイニシャル動作の指示を中止することを特徴とする。
【００１３】
この構成により、本発明のオプション機器制御プログラムは、オプション機器への電力の供給を遮断した場合に制御状態として遮断状態を記憶デバイスに記憶して、低電力状態から通常状態に移行した場合に制御状態として遮断状態が記憶デバイスに記憶されているときオプション機器へのイニシャル動作の指示を中止するので、オプション機器への電力の供給を遮断した状態で通常状態から低電力状態に移行した場合、すなわち、オプション機器への電力の供給を遮断していない状態で通常状態から低電力状態に移行したときと比較して、低電力状態から通常状態に復帰した後にオプション機器が使用される可能性が低い場合に、オプション機器のイニシャル動作による電力の消費を防止することができる。したがって、本発明のオプション機器制御プログラムは、電力の消費量を従来より低減することができる。
【発明の効果】
【００１４】
本発明の画像形成装置およびオプション機器制御プログラムは、電力の消費量を従来より低減することができる。
【図面の簡単な説明】
【００１５】
【図１】本発明の一実施の形態に係るＭＦＰのブロック図である。
【図２】オプション機器への電力の供給を遮断する場合の図１に示すＭＦＰの動作のフローチャートである。
【図３】スリープ状態または電源断状態から通常状態に復帰する場合の図１に示すＭＦＰの動作のフローチャートである。
【図４】印刷の実行が指示された場合の図１に示すＭＦＰの動作のフローチャートである。
【発明を実施するための形態】
【００１６】
以下、本発明の一実施の形態について、図面を用いて説明する。
【００１７】
まず、本実施の形態に係る画像形成装置としてのＭＦＰ（Ｍｕｌｔｉｆｕｎｃｔｉｏｎ  Ｐｅｒｉｐｈｅｒａｌ）の構成について説明する。
【００１８】
図１は、本実施の形態に係るＭＦＰ１０のブロック図である。
【００１９】
図１に示すように、ＭＦＰ１０は、種々の操作が入力されるボタンなどの入力デバイスである操作部１１と、種々の情報を表示するＬＣＤ（Ｌｉｑｕｉｄ  Ｃｒｙｓｔａｌ  Ｄｉｓｐｌａｙ）などの表示デバイスである表示部１２と、原稿から画像を読み取る読取デバイスであるスキャナー１３と、用紙などの記録媒体に印刷を実行する印刷デバイスであるプリンター１４と、図示していない外部のファクシミリ装置と公衆電話回線などの通信回線経由でファックス通信を行うファックスデバイスであるファックス通信部１５と、ＬＡＮ（Ｌｏｃａｌ  Ａｒｅａ  Ｎｅｔｗｏｒｋ）、インターネットなどのネットワーク経由で外部の装置と通信を行うネットワーク通信デバイスであるネットワーク通信部１６と、各種の情報を記憶するＮＶＲＡＭ（Ｎｏｎ  Ｖｏｌａｔｉｌｅ  Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）などの不揮発性の記憶デバイスである記憶部１７と、ＭＦＰ１０全体を制御する制御部１８とを備えている。
【００２０】
ＭＦＰ１０は、通常状態と、通常状態より電力の消費が少ない低電力状態としての電源断状態と、通常状態より電力の消費が少ない低電力状態としてのスリープ状態とに移行可能である。
【００２１】
通常状態は、プリンター１４による印刷を実行することができる状態である。例えば、ＭＦＰ１０は、通常状態において、スキャナー１３によって原稿から読み取られた画像データに基づいてプリンター１４によって印刷を実行するコピー機能と、ネットワーク通信部１６によって受信された印刷データに基づいてプリンター１４によって印刷を実行するプリント機能とを実行することができる。
【００２２】
電源断状態は、ＭＦＰ１０に対する電力の供給が停止させられた状態であり、プリンター１４による印刷を実行することができない状態である。
【００２３】
スリープ状態は、ＭＦＰ１０の一部に対する電力の供給が停止させられた状態であり、プリンター１４による印刷を実行することができない状態である。スリープ状態は、電源断状態と比較して、電力の消費量を低減する効果が低いが、通常状態への復帰の速度が速い。
【００２４】
プリンター１４は、記録媒体に印刷を実行する印刷部１４ａと、印刷部１４ａに記録媒体を供給する媒体供給部１４ｂと、印刷部１４ａによって印刷が実行された記録媒体を排出する媒体排出部１４ｃとを備えている。
【００２５】
ＭＦＰ１０は、プリンター１４による印刷のために使用されるオプション機器として、媒体供給部１４ｂ以外から記録媒体を印刷部１４ａに供給するための供給オプション２１と、印刷部１４ａによって印刷が実行された記録媒体を媒体排出部１４ｃ以外に排出するための排出オプション２２とが接続可能である。
【００２６】
排出オプション２２は、印刷部１４ａによって印刷が実行された記録媒体に対する仕上げ処理を実行することができる。例えば、仕上げ処理としては、記録媒体をページ毎または部数毎に仕分けて排出するソート処理と、複数枚の記録媒体を綴じるステープル処理と、記録媒体に穴を開けるパンチ処理とが採用されることができる。
【００２７】
供給オプション２１および排出オプション２２は、それぞれ、自身の駆動部の動作確認のためのイニシャル動作を実行することができる。
【００２８】
操作部１１は、ＭＦＰ１０、供給オプション２１および排出オプション２２の操作のためのデバイスである。また、表示部１２は、ＭＦＰ１０、供給オプション２１および排出オプション２２の状態表示のためのデバイスである。例えば、利用者は、コピー機能を実行するために、コピー機能における画質の設定、コピー機能において使用される記録媒体のサイズの設定、コピー機能において使用される仕上げ処理の設定などの各種の設定を、操作部１１および表示部１２を使用して実行することができる。また、表示部１２は、ＭＦＰ１０、供給オプション２１および排出オプション２２の何れかに異常が発生した場合に、制御部１８からの指示によってエラー表示を実行することができる。利用者は、表示部１２がエラー表示を実行した場合、エラーを解除するための操作を操作部１１に入力することができる。
【００２９】
ネットワーク通信部１６は、図示していないＰＣ（Ｐｅｒｓｏｎａｌ  Ｃｏｍｐｕｔｅｒ）などのコンピューターから印刷データを受信することができる。また、ネットワーク通信部１６は、ＭＦＰ１０に異常が発生した場合に、ＭＦＰ１０における異常の発生を図示していないコンピューターの利用者に通知するためのエラー情報を制御部１８からの指示によって図示していないコンピューターに送信することができる。なお、ＭＦＰ１０は、図示していないコンピューターと通信可能な状態になるために、ネットワーク経由ではなく、ＵＳＢ（Ｕｎｉｖｅｒｓａｌ  Ｓｅｒｉａｌ  Ｂｕｓ）ケーブルなどのケーブルを介して図示していないコンピューターと直接接続されても良い。
【００３０】
記憶部１７は、供給オプション２１および排出オプション２２を制御するためのオプション機器制御プログラム１７ａを記憶している。オプション機器制御プログラム１７ａは、ＭＦＰ１０の製造段階でＭＦＰ１０にインストールされていても良いし、ＳＤカード、ＵＳＢメモリーなどの記憶媒体からＭＦＰ１０に追加でインストールされても良いし、ネットワーク上からＭＦＰ１０に追加でインストールされても良い。
【００３１】
記憶部１７は、オプション機器に対する制御状態を示す制御状態情報１７ｂをオプション機器毎に記憶している。制御状態情報１７ｂは、オプション機器に電力が供給されたことを示す「通電状態」と、オプション機器への電力の供給が遮断されたことを示す「遮断状態」との何れかの状態を示すことが可能である。
【００３２】
記憶部１７は、オプション機器が使用されなくなってからオプション機器への電力の供給を遮断するまでの特定の期間（以下「遮断実行用期間」と言う。）を示す遮断実行用期間情報１７ｃをオプション機器毎に記憶している。遮断実行用期間としては、例えば、１時間から１週間までの間の任意の期間が設定されることが可能である。
【００３３】
記憶部１７は、オプション機器の使用日時を示す使用日時情報１７ｄをオプション機器毎に記憶することが可能である。
【００３４】
制御部１８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部１７に記憶されているプログラムを実行する。
【００３５】
制御部１８は、記憶部１７に記憶されているオプション機器制御プログラム１７ａを実行することによって、低電力状態から通常状態に移行した場合にオプション機器にイニシャル動作を指示するオプション機器制御手段１８ａ、オプション機器制御手段１８ａによるオプション機器に対する制御状態を記憶部１７に記憶させる制御状態記憶手段１８ｂ、および、遮断実行用期間の指定を受け付ける期間受付手段１８ｃとして機能する。
【００３６】
なお、制御部１８は、ＭＦＰ１０が通常状態である場合に、スリープ状態に移行するための特定の時間が、ＭＦＰ１０が使用されなくなってから経過したとき、ＭＦＰ１０をスリープ状態に移行させる。また、制御部１８は、ＭＦＰ１０が通常状態である場合に、スリープ状態に移行するための特定の指示が操作部１１またはネットワーク通信部１６を介して入力されたとき、ＭＦＰ１０をスリープ状態に移行させる。制御部１８は、ＭＦＰ１０をスリープ状態に移行させる場合に、オプション機器への電力の供給が停止されていないとき、オプション機器への電力の供給を停止する。
【００３７】
また、制御部１８は、ＭＦＰ１０が通常状態である場合に、電源断状態に移行するための特定の指示が操作部１１またはネットワーク通信部１６を介して入力されたとき、ＭＦＰ１０を電源断状態に移行させる。また、制御部１８は、ＭＦＰ１０がスリープ状態である場合に、電源断状態に移行するための特定の時間が、ＭＦＰ１０がスリープ状態になってから経過したとき、ＭＦＰ１０を電源断状態に移行させる。制御部１８は、ＭＦＰ１０を電源断状態に移行させる場合に、オプション機器への電力の供給が停止されていないとき、オプション機器への電力の供給を停止する。
【００３８】
また、制御部１８は、ＭＦＰ１０がスリープ状態または電源断状態である場合に、通常状態に移行するための特定の指示が操作部１１またはネットワーク通信部１６を介して入力されたとき、ＭＦＰ１０を通常状態に移行させる。
【００３９】
次に、ＭＦＰ１０の動作について説明する。
【００４０】
まず、遮断実行用期間の指定を受け付ける場合のＭＦＰ１０の動作について説明する。
【００４１】
オプション機器を特定した遮断実行用期間の指定が操作部１１またはネットワーク通信部１６を介して入力されると、制御部１８の期間受付手段１８ｃは、入力された指定における遮断実行用期間を、入力された指定におけるオプション機器の遮断実行用期間情報１７ｃとして記憶部１７に記憶する。
【００４２】
次に、オプション機器への電力の供給を遮断する場合のＭＦＰ１０の動作について説明する。
【００４３】
制御部１８は、オプション機器毎に図２に示す動作を実行する。具体的には、制御部１８は、ＭＦＰ１０が通常状態である場合に、ＭＦＰ１０が通常状態になってから対象のオプション機器が初めて使用されたとき、または、対象のオプション機器の制御状態情報１７ｂが「遮断状態」から「通電状態」に変更されたとき、対象のオプション機器に対して図２に示す動作を実行する。
【００４４】
図２は、オプション機器への電力の供給を遮断する場合のＭＦＰ１０の動作のフローチャートである。
【００４５】
図２に示すように、オプション機器制御手段１８ａは、対象のオプション機器が使用された日時を、対象のオプション機器の使用日時情報１７ｄに記憶させる（Ｓ５１）。ここで、対象のオプション機器の使用日時情報１７ｄに既に日時が記憶されている場合、オプション機器制御手段１８ａは、記憶部１７に既に記憶されている日時を上書きする。
【００４６】
次いで、オプション機器制御手段１８ａは、対象のオプション機器の使用日時情報１７ｄが示す日時から、対象のオプション機器の遮断実行用期間情報１７ｃが示す遮断実行用期間が経過したか否かを判断する（Ｓ５２）。
【００４７】
オプション機器制御手段１８ａは、遮断実行用期間が経過していないとＳ５２において判断すると、対象のオプション機器が使用されたか否かを判断する（Ｓ５３）。
【００４８】
オプション機器制御手段１８ａは、対象のオプション機器が使用されたとＳ５３において判断すると、新たに使用された日時を、対象のオプション機器の使用日時情報１７ｄに記憶させる（Ｓ５１）。
【００４９】
オプション機器制御手段１８ａは、対象のオプション機器が使用されていないとＳ５３において判断すると、Ｓ５２の処理を実行する。
【００５０】
オプション機器制御手段１８ａは、遮断実行用期間が経過したとＳ５２において判断すると、電源を遮断するように対象のオプション機器に指示する（Ｓ５４）。したがって、対象のオプション機器の制御部は、対象のオプション機器の電源を遮断する。すなわち、オプション機器制御手段１８ａは、対象のオプション機器が使用されていない期間が遮断実行用期間を超える場合に、対象のオプション機器への電力の供給を遮断する。
【００５１】
次いで、制御状態記憶手段１８ｂは、オプション機器制御手段１８ａによる対象のオプション機器に対する制御状態として「遮断状態」を、対象のオプション機器の制御状態情報１７ｂに記憶させて（Ｓ５５）、図２に示す動作を終了する。
【００５２】
次に、スリープ状態または電源断状態から通常状態に復帰する場合のＭＦＰ１０の動作について説明する。
【００５３】
制御部１８は、スリープ状態または電源断状態から通常状態に復帰する場合、オプション機器毎に図３に示す動作を実行する。
【００５４】
図３は、スリープ状態または電源断状態から通常状態に復帰する場合のＭＦＰ１０の動作のフローチャートである。
【００５５】
図３に示すように、オプション機器制御手段１８ａは、対象のオプション機器に対する制御状態が「遮断状態」であるか否かを、対象のオプション機器の制御状態情報１７ｂに基づいて判断する（Ｓ６１）。
【００５６】
オプション機器制御手段１８ａは、対象のオプション機器に対する制御状態が「遮断状態」ではない、すなわち、「通電状態」であるとＳ６１において判断すると、対象のオプション機器にイニシャル動作を指示する（Ｓ６２）。したがって、対象のオプション機器の制御部は、対象のオプション機器のイニシャル動作を実行する。なお、オプション機器制御手段１８ａは、Ｓ６２の処理の直前の段階で、対象のオプション機器への電力の供給が停止されている場合、対象のオプション機器に電力を供給した後、Ｓ６２の処理を実行する。
【００５７】
オプション機器制御手段１８ａは、Ｓ６２の処理が終了すると、図３に示す動作を終了する。
【００５８】
オプション機器制御手段１８ａは、対象のオプション機器に対する制御状態が「遮断状態」であるとＳ６１において判断すると、図３に示す動作を終了する。すなわち、オプション機器制御手段１８ａは、対象のオプション機器に対する制御状態が「遮断状態」である場合、対象のオプション機器へのイニシャル動作の指示（Ｓ６２）を中止する。
【００５９】
次に、印刷の実行が指示された場合のＭＦＰ１０の動作について説明する。
【００６０】
制御部１８は、印刷の実行が指示された場合、図４に示す動作を実行する。
【００６１】
ここで、利用者は、操作部１１を介してＭＦＰ１０にコピー機能を指示することができる。すなわち、制御部１８は、操作部１１を介してコピー機能が指示されることによって、印刷の実行が指示されることができる。利用者は、ＭＦＰ１０にコピー機能を指示する場合に、オプション機器を指定することができる。
【００６２】
また、利用者は、図示していないコンピューターからＭＦＰ１０に印刷データを送信することによって、ＭＦＰ１０にプリント機能を指示することができる。すなわち、制御部１８は、ネットワーク通信部１６を介して受信した印刷データによって、印刷の実行が指示されることができる。利用者は、図示していないコンピューターのプリンタードライバーによって印刷データを生成する場合に、オプション機器を指定することができる。
【００６３】
図４は、印刷の実行が指示された場合のＭＦＰ１０の動作のフローチャートである。
【００６４】
図４に示すように、オプション機器制御手段１８ａは、実行が指示された印刷においてオプション機器が指定されているか否かを判断する（Ｓ７１）。
【００６５】
オプション機器制御手段１８ａは、オプション機器が指定されているとＳ７１において判断すると、指定されているオプション機器、すなわち、対象のオプション機器に対する制御状態が「遮断状態」であるか否かを、対象のオプション機器の制御状態情報１７ｂに基づいて判断する（Ｓ７２）。
【００６６】
オプション機器制御手段１８ａは、対象のオプション機器に対する制御状態が「遮断状態」であるとＳ７２において判断すると、対象のオプション機器にイニシャル動作を指示する（Ｓ７３）。したがって、対象のオプション機器の制御部は、対象のオプション機器のイニシャル動作を実行する。なお、オプション機器制御手段１８ａは、Ｓ７３の処理の直前の段階で、対象のオプション機器への電力の供給が停止されている場合、対象のオプション機器に電力を供給した後、Ｓ７３の処理を実行する。
【００６７】
次いで、制御状態記憶手段１８ｂは、オプション機器制御手段１８ａによる対象のオプション機器に対する制御状態として「通電状態」を、対象のオプション機器の制御状態情報１７ｂに記憶させる（Ｓ７４）。
【００６８】
次いで、制御部１８は、プリンター１４と、対象のオプション機器とによって印刷を実行して（Ｓ７５）、図４に示す動作を終了する。
【００６９】
制御部１８は、オプション機器が指定されていないとＳ７１において判断されると、オプション機器にイニシャル動作を指示する（Ｓ７３）ことなく、プリンター１４によって印刷を実行して（Ｓ７５）、図４に示す動作を終了する。
【００７０】
制御部１８は、対象のオプション機器に対する制御状態が「遮断状態」ではない、すなわち、「通電状態」であるとＳ７２において判断されると、対象のオプション機器がＳ６２において既にイニシャル動作が指示されているので、対象のオプション機器にイニシャル動作を指示する（Ｓ７３）ことなく、プリンター１４と、対象のオプション機器とによって印刷を実行して（Ｓ７５）、図４に示す動作を終了する。
【００７１】
なお、Ｓ７２〜Ｓ７４の処理は、実行が指示された印刷においてオプション機器が複数指定されている場合に、実行が指示された印刷において指定されているオプション機器毎に実行される。この場合、Ｓ７２〜Ｓ７４の処理が未だ実行されていない対象のオプション機器が存在するとき、対象のオプション機器に対する制御状態が「遮断状態」ではない、すなわち、「通電状態」であるとＳ７２において判断されると、Ｓ７５の処理が実行されることなく、Ｓ７２〜Ｓ７４の処理が未だ実行されていない新たな対象のオプション機器に対するＳ７２の処理が実行される。
【００７２】
以上に説明したように、ＭＦＰ１０は、オプション機器への電力の供給を遮断した場合に（Ｓ５４）制御状態として「遮断状態」を記憶部１７に記憶して（Ｓ５５）、スリープ状態または電源断状態から通常状態に移行した場合に制御状態として「遮断状態」が記憶部１７に記憶されているとき（Ｓ６１でＹＥＳ）オプション機器へのイニシャル動作の指示（Ｓ６２）を中止する。そのため、ＭＦＰ１０は、オプション機器への電力の供給を遮断した状態（Ｓ５４）で通常状態からスリープ状態または電源断状態に移行した場合、すなわち、オプション機器への電力の供給を遮断していない状態で通常状態からスリープ状態または電源断状態に移行したときと比較して、スリープ状態または電源断状態から通常状態に復帰した後にオプション機器が使用される可能性が低い場合に、オプション機器のイニシャル動作による電力の消費を防止することができる。すなわち、ＭＦＰ１０は、オプション機器の起動電力の消費量を抑えることができる。したがって、ＭＦＰ１０は、電力の消費量を従来より低減することができる。
【００７３】
ＭＦＰ１０は、オプション機器が使用されなくなってからオプション機器への電力の供給を遮断するまでの期間、すなわち、遮断実行用期間の指定を受け付けるので、スリープ状態または電源断状態から通常状態に移行した場合にオプション機器にイニシャル動作を実行させる（Ｓ６１でＮＯおよびＳ６２）ことによる利便性と、スリープ状態または電源断状態から通常状態に移行した場合にオプション機器にイニシャル動作を実行させない（Ｓ６１でＹＥＳ）ことによる電力の消費量の低減とのバランスを、利用者の好みに合わせることができる。
【００７４】
ＭＦＰ１０は、オプション機器が指定された印刷の実行が指示された場合に（Ｓ７１でＹＥＳ）、制御状態として「遮断状態」が記憶部１７に記憶されているとき（Ｓ７２でＹＥＳ）、オプション機器にイニシャル動作を指示する（Ｓ７３）。すなわち、ＭＦＰ１０は、制御状態として「遮断状態」が記憶部１７に記憶されている場合に、オプション機器が指定された印刷の実行が指示されるまで、オプション機器にイニシャル動作を指示しない。したがって、ＭＦＰ１０は、オプション機器のイニシャル動作による電力の消費を抑えることができる。
【００７５】
本発明の画像形成装置は、本実施の形態においてＭＦＰであるが、印刷デバイスを備えた画像形成装置であれば、プリンター専用機、コピー専用機など、ＭＦＰ以外の画像形成装置であっても良い。
【符号の説明】
【００７６】
１０  ＭＦＰ（画像形成装置）
１４  プリンター（印刷デバイス）
１７  記憶部（記憶デバイス）
１７ａ  オプション機器制御プログラム
１７ｂ  制御状態情報（制御状態を示す情報）
１７ｃ  遮断実行用期間情報（特定の期間を示す情報）
１８ａ  オプション機器制御手段
１８ｂ  制御状態記憶手段
１８ｃ  期間受付手段
２１  供給オプション（オプション機器）
２２  排出オプション（オプション機器）
【図１】
2018024251.tif 000003
【図２】
2018024251.tif 000004
【図３】
2018024251.tif 000005
【図４】
2018024251.tif 000006